(57)【要約】【課題】  手入れ窓形成用の開口７０または絞り窓形成用の開口の外周囲付近にグロメット部材４３を凹凸嵌合により取り付けることによって、パッキン部材４２または絞り窓形成用部材に代えて、比較的大きなグロメット構造をエンクロージャ３に一時的にかつ比較的簡単に設けることができる保育器を提供する。【解決手段】  弾性材料から成形されたグロメット部材４３が、エンクロージャ３に配設されている手入れ窓形成用の開口７０および絞り窓形成用の開口のうちの少なくとも一方の開口をほぼ閉鎖することができるように、上記少なくとも一方の開口の外周囲付近に凹凸嵌合により取り付けられることができるように構成されている。【選択図】  図３
2014018223.tif 000002
【特許請求の範囲】
【請求項１】
児用マット上の児収容空間の外周囲を包囲することができるエンクロージャと、このエンクロージャに配設されている手入れ窓形成用の開口および絞り窓形成用の開口のうちの少なくとも一方の開口とを備え、
弾性材料から成形されたグロメット部材を含んでいる保育器において、
上記グロメット部材が、上記少なくとも一方の開口をほぼ閉鎖することができるように、上記少なくとも一方の開口の外周囲付近に凹凸嵌合により取り付けられることができるように構成されていることを特徴とする保育器。
【請求項２】
弾性材料から成形されたパッキン部材および絞り窓形成用部材のうちの少なくとも一方の部材を含み、
上記少なくとも一方の部材が、手入れ窓および絞り窓のうちの少なくとも一方の窓を形成するために、上記少なくとも一方の開口の外周囲付近に凹凸嵌合により取り付けられることができるように構成されていることを特徴とする請求項１に記載の保育器。
【請求項３】
上記少なくとも一方の開口が、上記エンクロージャにくりぬき形状でもって形成されていることを特徴とする請求項１または２に記載の保育器。
【請求項４】
上記少なくとも一方の開口が、上記手入れ窓形成用開口であり、
上記少なくとも一方の部材が、上記パッキン部材であることを特徴とする請求項１、２または３に記載の保育器。
【請求項５】
手入れ窓を開閉することができる開閉用の扉が、上記エンクロージャに往復回動可能に取り付けられていることを特徴とする請求項４に記載の保育器。
【請求項６】
上記少なくとも一方の部材が、中央貫通孔を有するほぼリング形状に構成され、
上記グロメット部材が、その中央部分に位置するグロメット形成部と、このグロメット形成部の外周囲に一体的に連設されているリング状のグロメット取り付け部とを備えていることを特徴とする請求項１〜５のうちのいずれか１つに記載の保育器。
【請求項７】
児用マット上の児収容空間の外周囲を包囲することができるエンクロージャと、このエンクロージャに配設されている手入れ窓形成用の開口および絞り窓形成用の開口のうちの少なくとも一方の開口とを備えている保育器を使用する方法であって、
上記保育器が、弾性材料から成形されかつ中央貫通孔を有するパッキン部材および絞り窓形成用部材のうちの少なくとも一方の部材と、弾性材料から成形されたグロメット部材とを含んでいる、保育器の使用方法において、
上記少なくとも一方の部材を上記少なくとも一方の開口の外周囲付近に凹凸嵌合により取り付けることによって、上記中央貫通孔から成る手入れ窓および絞り窓のうちの少なくとも一方の窓を上記エンクロージャに形成することと、上記グロメット部材を上記少なくとも一方の開口の外周囲付近に凹凸嵌合により取り付けることによって、上記グロメット部材から成るグロメット構造を上記エンクロージャに形成することとの両方を選択的にそれぞれ行うようにしたことを特徴とする保育器の使用方法。
【請求項８】
上記少なくとも一方の開口が、上記手入れ窓形成用開口であることを特徴とする請求項７に記載の保育器の使用方法。
【発明の詳細な説明】
【技術分野】
【０００１】
本発明は、児用マット上の児用収容空間の外周囲を包囲することができるエンクロージャと、このエンクロージャに配設されている手入れ窓形成用の開口および絞り窓形成用の開口のうちの少なくとも一方の開口とを備え、弾性材料から成形されているグロメット部材を含んでいる保育器と、このような保育器を使用する方法とに関するものである。
【背景技術】
【０００２】
保育器のマット上に横たわっている未熟児などの児には、診察、処置、保育などが施されるのが通例である。このために、上記エンクロージャの前後左右の壁部には、従来、手入れ窓、絞り窓、比較的小型のグロメット部材などが設けられている。そして、上記児に診察、処置、保育などのために用いられる医療用機器のチューブ、ケーブル、電気コードなどの長手状部材（換言すれば、患者回路−以下、「ケーブル類」という。）のうちで径の比較的小さいケーブル類は、上記エンクロージャの外側から上記グロメット部材の切れ目を通して上記エンクロージャの内側に導入される。しかし、エンクロージャの前後左右の壁部には、通常、比較的大きな手入れ窓または比較的大きな絞り窓が設けられるために、上記グロメット部材が比較的小型にならざるを得ないから、径の比較的大きいケーブル類（例えば、人工呼吸器用の酸素マスクの酸素供給用チューブなどのチューブが束ねられて収容された蛇腹状の外被チューブ）は、上記グロメット部材の切れ目を挿通させ難い。このために、径の比較的大きい（換言すれば、太い）ケーブル類の場合には、このような太いケーブル類を上記エンクロージャの外側から上記絞り窓を通して上記エンクロージャの内側に導入させるようにしていた。
【発明の概要】
【発明が解決しようとする課題】
【０００３】
しかし、上述のように、太いケーブル類をエンクロージャの外側から絞り窓を通してエンクロージャの内側に導入したときには、太いケーブル類を保持している絞り窓形成用のシート状部材（具体的には、布、合成樹脂製シートなどから円筒状に構成されたシート状部材）の絞り状態が十分に絞られた状態からあまり絞られてはいない状態へと緩んでしまい易い。このために、絞り窓形成用のシート状部材によるケーブル類の位置保持が不完全になり易い。また、絞り状態になっているシート状部材とケーブル類との間に隙間が生じ易いので、エンクロージャ内の気密性が悪くなり易い。
【０００４】
本発明は、従来の保育器における上述のような欠点を、比較的簡単な構成でもって、効果的に是正し得るようにしたものである。
【課題を解決するための手段】
【０００５】
本発明は、その第１の観点においては、児用マット上の児収容空間の外周囲を包囲することができるエンクロージャと、このエンクロージャに配設されている手入れ窓形成用の開口および絞り窓形成用の開口のうちの少なくとも一方の開口とを備え、弾性材料から成形されたグロメット部材を含んでいる保育器において、上記グロメット部材が、上記少なくとも一方の開口をほぼ閉鎖することができるように、上記少なくとも一方の開口の外周囲付近に凹凸嵌合により取り付けられることができるように構成されていることを特徴とする保育器に係るものである。
【０００６】
また、本発明は、上記第１の観点の第１の態様においては、弾性材料から成形されたパッキン部材および絞り窓形成用部材のうちの少なくとも一方の部材を含み、上記少なくとも一方の部材が、手入れ窓および絞り窓のうちの少なくとも一方の窓を形成するために、上記少なくとも一方の開口の外周囲付近に凹凸嵌合により取り付けられることができるように構成されている。そして、本発明は、上記第１の観点の第２の態様においては、上記少なくとも一方の開口が、上記エンクロージャにくりぬき形状でもって形成されている。そして、本発明は、上記第１の観点の第３の態様においては、上記少なくとも一方の開口が、上記手入れ窓形成用開口であり、上記少なくとも一方の部材が、上記パッキン部材である。また、本発明は、上記第１の観点の第４の態様においては、上記手入れ窓を開閉することができる開閉用の扉が、上記エンクロージャに往復回動可能に取り付けられている。さらに、本発明は、上記第１の観点の第５の態様によれば、上記少なくとも一方の部材が、中央貫通孔を有するほぼリング形状に構成され、上記グロメット部材が、その中央部分に位置するグロメット形成部と、このグロメット形成部の外周囲に一体的に連設されているリング状のグロメット取り付け部とを備えている。
【０００７】
また、本発明は、その第２の観点においては、児用マット上の児収容空間の外周囲を包囲することができるエンクロージャと、このエンクロージャに配設されている手入れ窓形成用の開口および絞り窓形成用の開口のうちの少なくとも一方の開口とを備えている保育器を使用する方法であって、上記保育器が、弾性材料から成形されかつ中央貫通孔を有するパッキン部材および絞り窓形成用部材のうちの少なくとも一方の部材と、弾性材料から成形されたグロメット部材とを含んでいる、保育器の使用方法において、上記パッキン部材を上記少なくとも一方の開口の外周囲付近に凹凸嵌合により取り付けることによって、上記中央貫通孔から成る手入れ窓および絞り窓のうちの少なくとも一方の窓を上記エンクロージャに形成することと、上記グロメット部材を上記少なくとも一方の開口の外周囲付近に凹凸嵌合により取り付けることによって、上記グロメット部材から成るグロメット構造を上記エンクロージャに形成することとの両方を選択的にそれぞれ行うようにしたことを特徴とする保育器の使用方法に係るものである。そして、本発明は、上記第２の観点の第１の態様においては、上記少なくとも一方の開口が、上記手入れ窓形成用開口である。
【発明の効果】
【０００８】
請求項１および７に記載の発明によれば、手入れ窓形成用の開口または絞り窓形成用の開口の外周囲付近にグロメット部材を凹凸嵌合により取り付けることによって、比較的大きなグロメット構造をエンクロージャに比較的簡単にかつ一時的に設けることができる。したがって、人工呼吸器用の蛇腹状外被チューブのような太いケーブル類であっても、上記グロメット構造を利用してエンクロージャに良好に保持させることができる。また、請求項２および７に記載の発明によれば、パッキン部材に代えて上記エンクロージャに一時的に取り付けていた上記グロメット部材を手入れ窓用のパッキン部材または絞り窓形成用部材に付け替えることによって、上記グロメット構造を手入れ窓または絞り窓に比較的簡単に変更することができる。さらに、請求項４および８に記載の発明によれば、上記グロメット部材を上記手入れ窓用パッキン部材に付け替えたり、この逆の付け替えを行ったりするだけで、手入れ窓形成用開口の付近にパッキン構造を設けたり、グロメット構造を設けたりすることができる。
【０００９】
また、請求項３に記載の発明によれば、手入れ窓形成用開口および絞り窓形成用開口のうちの少なくとも一方の開口がエンクロージャの壁部の端縁に接していないので、手入れ窓および絞り窓のうちの少なくとも一方の窓やグロメット構造が使い易いものとなる。そして、請求項５に記載の発明によれば、手入れ窓を開閉用扉によって簡単に開閉することができるから、エンクロージャ内の気密性を簡単な操作でもって必要に応じて高めることができる。さらに、請求項６に記載の発明によれば、パッキン部材および絞り窓形成用部材のうちの少なくとも一方の部材とグロメット部材とを弾性材料から簡単に成形することができるとともに、パッキン部材および絞り窓形成用部材のうちの少なくとも一方の部材とグロメット部材とを手入れ窓形成用開口および絞り窓形成用開口のうちの少なくとも一方の開口に選択的に取り付ける操作を比較的容易に行うことができる。
【図面の簡単な説明】
【００１０】
【図１】本発明を閉鎖型保育器兼用の開放型保育器に適用した−実施例における保育器の、閉鎖型の状態での斜視図である。（実施例１）
【図２】グロメット部材が手入れ窓形成用開口の外周囲付近に取り付けられた図１に示す保育器の、図１と同様の閉鎖型の状態での斜視図である。（実施例１）
【図３】図２に示すエンクロージャの先端部側の壁部の概略的な正面図である。（実施例１）
【図４】図３に示すグロメット部材の正面図である。（実施例１）
【図５】図４に示すグロメット部材の、外側から見た状態での斜視図である。（実施例１）
【図６】図４に示すグロッメット部材の、内側から見た状態での斜視図である。（実施例１）
【図７】図４のＡ−Ａ線における断面図である。（実施例１）
【図８】図４のＢ−Ｂ線における断面図である。（実施例１）
【図９】図１に示す保育器の、図８に示す断面図に対応する断面図である。（実施例１）
【図１０】図１に示す保育器の、患者回路の導入状態での概略的な平面図である。（実施例１）
【図１１】図２に示す保育器の、患者回路の導入状態での概略的な平面図である。（実施例１）
【発明を実施するための最良の形態】
【００１１】
本発明を閉鎖型保育器兼用の開放型保育器に適用した−実施例を、「１、保育器全体の概略的な説明」、「２、グロメット構造の説明」および「３、パッキン構造の説明」に項分けして、図面を参照しつつ説明する。
【００１２】
１、保育器全体の概略的な説明
【００１３】
保育器１は、図１および図２に示すように、平面的に見てほぼ長方形状などの基台２と、この基台２のほぼ外周囲に沿って立設されているほぼ直方体形状などのエンクロージャ３とを備えている。そして、基台２上には、臥床架（図示せず）が配置されている。また、この臥床架上に配置されている児用のマット４（図１０参照）の上面には、必要に応じて薄いシーツ（図示せず）が敷かれてから、未熟児などの児８（図１０参照）が、児用マット４上に横たわらされて、診察、処置、保育などを施される。さらに、エンクロージャ３は、一部を除いて、全体としてほぼ透明であってよい。そして、エンクロージャ３は、児用マット４上の児収容空間の外周囲を包囲し得るように、前側の壁部５、後側の壁部（図示せず）、基端部側の壁部６および先端部側の壁部７をそれぞれ備えている。また、前側の壁部５、上記後側の壁部、基端部側の壁部６および先端部側の壁部７によって、平面的に見てほぼ長方形状などの周囲枠部が児収容空間として構成されている。さらに、前側の壁部５、上記後側の壁部、先端部側の壁部７などは、エンクロージャ３にフェンスまたは処置窓が形成されるようにするために、ほぼ下方に向かってほぼ直線的に往動することまたはほぼ下方に向って往回動することなどによって、部分的にまたは全体的に開放され得るように構成されている。したがって、医師、看護師などの取扱者は、児に対する診察、処置、保育などを、上記フェンス越しに、あるいは、上記処置窓を通して、任意の方向から施すことができる。そして、前側の壁部５および上記後側の壁部のそれぞれには、左右一対の手入れ窓１１、１２が配置されている。また、先端部側の壁部７にも、手入れ窓１３が配置されている。さらに、これらの前側の壁部５、上記後側の壁部および先端部側の壁部７のそれぞれには、これらの手入れ窓１１〜１３のそれぞれを開閉するための開閉用の扉１４、１５、１６が配設されている。そして、これらの開閉用扉１４〜１６は、一部を除いて、全体としてほぼ透明であってよい。なお、上述のように、前側の壁部５、上記後側の壁部および先端部側の壁部７が完全に開放されたときには、保育器１を蘇生処置用装置としても用いることができる。
【００１４】
図１および図２に示す基台２は、ほぼ水平方向に延在するフレーム（図示せず）上に取り付け支持されている。そして、このフレームは、メイン支柱２１上に支持されている。また、このメイン支柱２１は、それぞれが車輪２２付きの合計で例えば４本の腕部を有する左右一対のベース２３に取り付け支持されている。さらに、これら一対のベース２３は、共通の連結部材２４によって、互いに連結されている。そして、この連結部材２４には、メイン支柱２１が立設されている。また、図１および図２に示すメイン支柱２１に取り付け支持されている上記フレームには、図１および図２に示すように互いにほぼ左右対称であってよい左右一対のサブ支柱２５ａ、２５ｂが共通の連結部材２６を介して取り付け支持されている。そして、これら左右一対のサブ支柱２５ａ、２５ｂは、基端部側の壁部６から外方側に遠ざかる方向に向かってエンクロージャ３から離間した状態でもって、基端部側の壁部６よりもさらに外方側に配置されている。
【００１５】
エンクロージャ３は、図１および図２に示すように、天面フード２７をさらに備えている。したがって、エンクロージャ３内の児収容空間は、ほぼ閉鎖状態にされることができる。そして、左右一対のサブ支柱２５ａ、２５ｂのうちの図１における例えば左側の加熱器用サブ支柱２５ａには、図１に示すように、加熱器３１が支持軸３２によって取り付け支持されている。また、図１における例えば右側の天面フード用サブ支柱２５ｂには、天面フード２７が支持腕３３によって取り付け支持されている。この場合、天面フード２７は、ほぼ四角錐台形状などであってよく、また、その下面が開放された中空体であってよい。したがって、エンクロージャ３は、前記周囲枠部と、この周囲枠部の上端開口を選択的に覆うことができる天面フード２７とを備えている。そして、図１および図２に示す閉鎖型の状態での保育器１においては、エンクロージャ３は、ごく小さいほぼ小屋形状に構成されている。なお、左右一対のベース２３のうちの前側のベース２３には、前後一対のフットスイッチ３４ａ、３４ｂが互いに隣接して配設されている。そして、操作者が前側のフットスイッチ３４ａを足などで押圧操作したときには、前記フレームがメイン支柱２１に対して下降するので、このフレームに取り付けられている基台２などが同様に下降する。また、操作者が後側のフットスイッチ３４ｂを足などで押圧操作したときには、前記フレームがメイン支柱２１に対して上昇するので、このフレームに取り付けられている基台２などが同様に上昇する。
【００１６】
図１および図２に示す加熱器用サブ支柱２５ａおよび天面フード用サブ支柱２５ｂのそれぞれは、固定支柱３５および可動支柱（図示せず）から成っている。そして、左右一対のサブ支柱２５ａ、２５ｂの固定支柱３５の下端部は、共通の連結部材２６を介して前記フレームに取り付け支持されている。また、上記一対の可動支柱は、従動歯車、駆動用チェーン、駆動歯車、電動モータなどの昇降駆動機構（いずれも図示せず）によって、固定支柱３５内を上下方向にそれぞれ往復駆動（換言すれば、昇降駆動であって、固定支柱３５に対して伸縮可能に駆動）されるように構成されている。そして、天面フード２７が上昇位置まで移動したときには、保育器１は、開放型保育器として機能する。また、天面フード２７が図１および図２に示すように下降位置まで移動したときには、保育器１は、閉鎖型保育器として機能する。さらに、この閉鎖型保育器として機能するときには、加熱器３１は、その使用状態（この場合には、使用状態であっても少量の熱線しか放射されない。）においては上昇位置（図示せず）に留まり、その不使用状態においては図１および図２に示す下降位置まで移動していてよい。なお、加熱器３１およびその回動駆動機構のそれぞれの構成や加熱器３１と天面フード２７との相互の関係を含む保育器１の全体構成の詳細は、本発明の要旨ではないので、その詳細な図示および詳細な説明は、本文においては省略する。さらに、基台２の先端部側の壁部７側には、図１および図２に示すように、開閉用ドア３６が配設されている。そして、この開閉用ドア３６は、加湿器としての加湿ユニット（図示せず）を保育器本体３７の基台２に装着したり取り出したりするのに用いられる開口４１を開閉することができる。
【００１７】
基台２の先端部側の壁部（換言すれば、エンクロージャ３の長さ方向における一方の側の壁部）７には、図３に示すように、外方から見た左側端部および右側端部においてそれぞれ開放されている上下一対の左側の切り欠き部４４ａおよび上下一対の右側の切り欠き部４４ｂが、切り欠き形状の開口として形成されている。さらに、これらの切り欠き部４４ａ、４４ｂのそれぞれには、これらの切り欠き部４４ａ、４４ｂを一回り大きくした比較的小型のグロメット部材４５ａ、４５ｂが嵌め込みによって取り付け固定されている。なお、グロメット部材４５ａ、４５ｂのそれぞれには、これらのグロメット部材４５ａ、４５ｂの外側の縁から内側の縁に向って途中までほぼ水平な状態でもって延在している第１の切れ目４６と、この第１の切れ目４６とほぼ直交するように、左右方向におけるほぼ中央部分のみをほぼ垂直な状態でもって延在している複数本の第２の切れ目４７とが形成されている。さらに、基端部側の壁部（換言すれば、エンクロージャ３の長さ方向における他方の側の壁部）６にも、先端側の壁部７の場合と同様に、上記第１および第２の切れ目４６、４７をそれぞれ有する比較的小型のグロメット部材４５ａ、４５ｂを嵌め込みによって取り付け固定するための上下一対の左側の切り欠き部および上下一対の右側の切り欠き部が、切り欠き形状の開口として形成されていてよい。そして、これら左側および右側の切り欠き部のそれぞれにも、グロメット部材４５ａ、４５ｂと実質的に同一の構成を有する比較的小型のグロメット部材が嵌め込みによって取り付け固定されていてよい。なお、先端部側の壁部７に配設された比較的小型のグロメット部材４５ａ、４５ｂと、基端部側の壁部６に配設された比較的小型のグロメット部材とのそれぞれは、実質的に常設されていてよい。
【００１８】
開閉用扉１４、１５は、外側から見てほぼ凹型の形状に構成されている。さらに、開閉用扉１６は、ほぼ平板の形状に構成されている。そして、図１に示す状態においては、手入れ窓１１〜１３の外側の縁部には、開閉用扉１４〜１６のための図９に示すパッキン部材４２が嵌め込み（換言すれば、凹凸嵌合）によって取り付け固定されている。また、図２に示す状態においては、手入れ窓１１、１２の外側の縁部には、開閉用扉１４、１５のための図９に示すパッキン部材４２が嵌め込み（換言すれば、凹凸嵌合）によって取り付け固定されるとともに、手入れ窓１３の外側の縁部には、図４などに示す比較的大型のグロメット部材４３が嵌め込み（換言すれば、凹凸嵌合）によって取り付け固定されている。なお、グロメット部材４３およびパッキン部材４２については、それぞれ後述する「２、グロメット構造の説明」および「３、パッキン構造の説明」の項において詳細に説明する。
【００１９】
２、グロメット構造の説明
【００２０】
グロメット部材４３は、図３〜図８に示すように、シリコーンゴムなどの合成ゴム、天然ゴム、シリコーン樹脂、ビニル樹脂などの合成樹脂などの比較的軟質の弾性材料から、全体としてほぼ楕円形になるように、一体成形されていてよい。具体的には、グロメット部材４３は、そのほぼ中央部分に位置するほぼ楕円形状のグロメット形成部５１と、このグロメット形成部５１の外周囲に一体的に連設されているほぼ楕円リング形状（換言すれば、ほぼリング状）のグロメット取り付け部５２とを備えている。そして、グロメット形成部５１には、上下一対のグロメット本体部５３ａ、５３ｂと、このグロメット形成部５１の内側面に一体的に突設されている補強用の梁部５４とを備えている。また、この補強用梁部５４は、グロメット取り付け部５２と共働して、上下一対のグロメット本体部５３ａ、５３ｂの外周囲をグロメット部材４３の内側面においてほぼ取り囲むように構成されている。さらに、グロメット本体部５３ａ、５３ｂのそれぞれには、ほぼ垂直な状態でもってそれぞれ延在している複数本の第１の切れ目５５と、これら第１の切れ目５５とほぼ直交するように、ほぼ水平な状態でもって延在している第２の切れ目５６とが形成されている。なお、第２の切れ目５６は、複数本の第１の切れ目５５のうちの左右両側端にそれぞれ位置している左端の切れ目と右端の切れ目との間を延在している。
【００２１】
グロメット部材４３のグロメット取り付け部５２は、図７などに示すように、先端部側の壁部７に取り付けられることができる。具体的には、グロメット取り付け部５２には、気密性を保つように開閉用扉１６に弾性的に圧着することができるほぼ楕円リング形状（換言すれば、ほぼリング状）のひれ部５７と、先端部側の壁部７の外側の壁（換言すれば、外壁）６１が嵌合することができるほぼ楕円リング形状（換言すれば、ほぼリング状）の凹部６２を有するほぼ楕円形状（換言すれば、ほぼリング状）の嵌合部６３と、先端部側の壁部７の内側の壁（換言すれば、内壁）６４が係合することができるほぼ楕円形状（換言すれば、ほぼリング状）の段部６５を有するほぼ楕円形状（換言すれば、ほぼリング状）のグロメット取り付け本体６６とが、その外側面から内側面にかけて、順次一体的にそれぞれ配設されている。なお、ひれ部５７は、基端から先端にかけて、外方に開くようにほぼ円弧状に弯曲している。また、外側の壁６１および内側の壁６４のそれぞれには、手入れ窓１３を形成することと、グロメット部材４３を取り付けることとのために、外側の開口７１および内側の開口７２が配設されている。そして、これらの外側開口７１および内側開口７２によって、先端部側の壁部７（換言すれば、エンクロージャ３）にパッキン取り付け用の開口（換言すれば、手入れ窓形成用の開口）７０が形成されている。また、外側の開口７１は、内側の開口７２よりも一回り大きく構成されている。さらに、外側および内側の開口７１、７２は、ほぼ楕円形状に構成されていてよい。
【００２２】
図７などに示すように、グロメット部材４３の嵌合部６３には、外側の壁６１のうちの開口７１の外側の縁部７３が着脱自在に凹凸嵌合している。そして、グロメット部材４３の段部６５には、内側の壁６４のうちの開口７２の外側の縁部７４が係合などの状態でもって当接している。なお、図７などに示すように、グロメット部材４３を先端部側の壁部７に取り付けるときには、つぎの（ａ）項〜（ｃ）項に記載の手動操作を行えばよい：
（ａ）まず、グロメット部材４３のグロメット取り付け本体６６を先端部側の壁部７の外側の壁６１の開口７１に挿入する。
（ｂ）ついで、ほぼ楕円リング形状の嵌合部６３の一部分を外側の縁部７３に対して押し込むことによって、この一部分の凹部６２に開口７１の外側の縁部７３の一部分を凹凸嵌合させる。
（ｃ）ついで、嵌合部６３の残りの部分の凹部６２に外側の縁部７３の残りの部分を凹凸嵌合させる。この場合、段部６５が内側の開口７２の外側の縁部に当接する。
また、先端部側の壁部７に取り付けられているグロメット部材４３を先端部側の壁部７から取り外すときには、つぎの（ｄ）項および（ｅ）項に記載の手動操作を行えばよい：
（ｄ）まず、ほぼ楕円リング形状の嵌合部６３の一部分を開口７１から引き出す。
（ｅ）ついで、嵌合部６３の残りの部分を開口７１から順次引き出すことによって、グロメット部材４３を開口７１から取り外す。
【００２３】
人工呼吸器を用いて未熟児などの児８（図１０参照）に酸素を供給するときには、人工呼吸器用の酸素マスクの酸素供給用チューブなどのチューブが束ねられて収容された蛇腹状の外被チューブが、グロメット部材４３のグロメット本体部５３ａ、５３ｂのうちのいずれか一方の第１および第２の切れ目５５、５６を通して、エンクロージャ３の内部に導き入れられる。このために、上記酸素供給用チューブを連結させた上記酸素マスクを児８に装着してから、上記人工呼吸器から上記酸素供給用チューブおよび上記酸素マスクを通して児８に酸素を供給することができる。この場合、グロメット部材４３は、小型のグロメット部材４５ａ、４５ｂに較べて比較的大型であるから、上記外被チューブが比較的太いものであっても、グロメット部材４３の切れ目５５、５６に挿通させるのが比較的容易であるとともに、上記外被チューブをグロメット部材４３に比較的確実に位置保持させることができる。したがって、グロメット部材４３は、径の比較的大きいケーブル類を使用する患者回路用の導入ホルダとして好ましく機能することができる。
【００２４】
図１０および図１１に示すように、児８が保育器１の児用マット４上に横たわっている場合には、児用マット４上での児８の頭部７５（換言すれば、口部７６）の位置は、種々に変化する。例えば、比較的小型のグロメット部材４５ａから口部７６までの平面的に見た直線距離は、図１０に示すように、長さＬ１、Ｌ２、Ｌ３などに変化する。そして、比較的大型のグロメット部材４３から口部７６までの平面的に見た直線距離は、図１１に示すように、長さＬ４、Ｌ５、Ｌ６などに変化する。また、このような変化は、児用マット４上への児８の横たわらせ方や、児８のその後の動きなどによって生じる。例えば、小さい未熟児の場合には、処置などの内容によっては、未熟児がエンクロージャ３の幅方向にほぼ沿って横たわる場合も生じる。この場合、長さＬ１および長さＬ５のそれぞれが一番短く、長さＬ２、長さＬ４および長さＬ６のそれぞれが二番目に短く、長さＬ３が最も長い。したがって、エンクロージャ３内に位置する上記外被チューブの長さを平均的にできるだけ短くするためには、大型のグロメット部材４３の切れ目５５、５６に挿通させるのが好ましい。なお、グロメット部材４３、４５ａ、４５ｂから児の口部７６まで（換言すれば、エンクロージャ３内）の上記外被チューブの長さが長ければ長いほど、上記外被チューブ（換言すれば、酸素供給用チューブなどの内部のチューブ）が児の動きによって弯曲したり屈曲したりし易いので、この内部チューブ内の空気の流れに変化が生じやすくなって、あまり好ましくない。さらに、人工呼吸器内の蛇腹状外被チューブは、比較的太いので、小型のグロメット部材４５ａ、４５ｂの切れ目４６、４７に挿通させるよりも、大型のグロメット部材４３の切れ目５５、５６に挿通させた方が、この挿通の操作が容易であるとともに、上記外被チューブをエンクロージャ３に比較的確実に位置保持させることができる。
【００２５】
図１に示すエンクロージャ３の前側の壁部（換言すれば、エンクロージャ３の幅方向における一方の側の壁部）５および前記後側の壁部（換言すれば、エンクロージャ３の幅方向における他方の側の壁部）のそれぞれには、左右一対の手入れ窓１１、１２が配設されている。そして、これら合計４つの手入れ窓１１、１２の形状は、先端部側の壁部６の手入れ窓１３とほぼ同形である。したがって、上記合計４つの手入れ窓１１、１２のうちの少くとも１つの手入れ窓にパッキン部材４２が取り付けられていない状態（換言すれば、パッキン部材４２を手入れ窓から取り外した状態）においては、この少くとも１つの手入れ窓に、手入れ窓１３の場合と同様にして、グロメット部材４３を取り付けることができる。さらに、エンクロージャ３には、図１〜図３に示すように、手入れ窓１１〜１３をそれぞれ開閉することができる開閉用扉１４〜１６が配設されている。そして、これらの扉１４〜１６は、手入れ窓１１〜１３をそれぞれ開放するために、エンクロージャ３に配設された軸支部７７と、扉１４〜１６に配設された被軸支部７８とによって、エンクロージャ３に往復回動可能に軸支されている。また、これらの扉１４〜１６のそれぞれは、エンクロージャ３にそれぞれ配設された係合手段としての係合爪部８１と、扉１４〜１６にそれぞれ配設された被係合手段としての被合爪部８２とが着脱自在に互いに係合することによって、閉鎖状態に保持されることができるように構成されている。さらに、扉１４〜１６のそれぞれは、係合爪部８１を手動操作して、係合爪部８１に対する被係合爪部８２の係合を解除することによって、開放されることができるように構成されている。
【００２６】
開閉用扉１６は、既述のように、ほぼ平板の形状に構成されている。したがって、開閉用扉１６は、手入れ窓１３にグロメット部材４３が取り付けられている場合とパッキン部材４２が取り付けられている場合とのうちのいずれの場合においても、図１などに示すように、手入れ窓１３を閉鎖することができる。これに対し、開閉用扉１４、１５は、既述のように、外側から見てほぼ凹型の形状に構成されている。したがって、開閉用扉１４、１５のそれぞれは、手入れ窓１１、１２にパッキン部材４２が取り付けられている場合には、図１などに示すように、手入れ窓１１、１２を閉鎖することができる。しかし、グロメット部材４３は、グロメット取り付け部５２に加えて、このグロメット取り付け部５２の中空箇所に存在しているグロメット形成部５１を備えている。したがって、開閉用扉１４、１５のそれぞれは、上記凹部の形状に対応して内側に突出している凸型の部分がグロメット形成部５１に当接するために、図１などに示す最終的な閉鎖位置までは復回動することができない。
【００２７】
３、パッキン構造の説明
【００２８】
図９に示すパッキン部材４２は、グロメット部材４３の場合と同様にシリコーン樹脂などの比較的軟質の弾性材料から一体成形されていてよい。そして、パッキン部材４２は、図８に示すグロメット部材４３のグロメット取り付け部５２（換言すれば、グロメット部材４３からグロメット形成部５１を取り除いた部分）の形状からさらに、リング状の段部６５を有するパッキン本体８４の内壁側の一半部分を取り除いた形状と実質的に同一の形状であってよい。そして、パッキン本体８４は、比較的扁平なほぼ楕円リング形状（換言すれば、ほぼリング状）に構成されている。このために、パッキン部材４２には、比較的大きな中央貫通孔としての中央開口８３が設けられている。なお、図９に示すパッキン部材４２の各部の名称および符号のそれぞれは、図７などに示すグロメット部材４３のグロメット取り付け部５２の各部の名称および符号と同一になっていてよい。したがって、パッキン部材４２は、ほぼ楕円リング形状（換言すれば、ほぼリング形状）に構成されている。そして、パッキン部材４２は、図９に示すように、先端部側の壁部７の外側の壁６１に取り付けられることができる。
【００２９】
具体的には、パッキン部材４２には、図９に示すように、開閉用扉１６に気密性を保つように弾性的に圧着することができるほぼ楕円リング形状（換言すれば、ほぼリング状）のひれ部５７と、先端部側の壁部７の外側の壁６１が嵌合することができるほぼ楕円リング形状（換言すれば、ほぼリング状）の凹部６２を有するほぼ楕円形状（換言すれば、ほぼリング状）の嵌合部６３と、ひれ部５７と嵌合部６３とを一体的に連結しているほぼ楕円形状（換言すれば、ほぼリング状）のパッキン本体８４とが、一体的にそれぞれ配設されている。なお、ひれ部５７は、基端から先端にかけて、外方に開くようにその縦断面においてほぼ円弧状に弯曲している。また、外側の壁６１および内側の壁６４のそれぞれには、既述のように、手入れ窓１３を形成するために外側の開口７１および内側の開口７２が配設されている。そして、パッキン部材４２は、外側の開口７１を利用して外側の壁６１に取り付けられる。このために、パッキン部材４２が手入れ窓１３に取り付けられているときには、基台２内に配置されているファン（図示せず）によって供給される空気流が、外側の壁６１と内側の壁６４との隙間を通過して、パッキン部材４２の内側に沿って流動する。したがって、手入れ窓１３には、この空気流によってエアーカーテンが良好に形成されるので、手入れ窓１３が開放されていても、エンクロージャ３内の保育環境をほぼ良好に保つことができる。
【００３０】
図９に示すように、パッキン部材４２の嵌合部６３には、外側の壁６１のうちの開口７１の外側の縁部７３が着脱自在に凹凸嵌合している。なお、図９に示すように、パッキン部材４２を先端部側の壁部７に取り付けるときには、前記第２項における（ａ）項〜（ｃ）項（ただし、前記（ｃ）項における「この場合、段部６５が内側の開口７２の外側の縁部に当接する。」の記載を除く。）に記載の手動操作と実質的に同一の手動操作を行えばよい。そして、先端部側の壁部７に取り付けられているパッキン部材４２を先端部側の壁部７から取り外すときには、前記第２項における（ｄ）項および（ｅ）項に記載の手動操作と実質的に同一の手動操作を行えばよい。
【００３１】
保育器１の通常の使用状態においては（換言すれば、通常時には）、エンクロージャ３の合計５つの手入れ窓１１〜１３のそれぞれには、図９に示すように、パッキン部材４２が取り付けられている。そして、これらの手入れ窓１１〜１３の総ては、手動操作により開閉用扉１４〜１６によって閉鎖されることができる。しかし、エンクロージャ３内に取扱者の手などを差し込みたいときには、これらの手入れ窓１１〜１３の少なくとも１つを開放するために、これと対応する開閉用扉を手動操作により開放することができる。そして、上記手入れ窓１１〜１３のうちの少なくとも１つにグロメット部材４３を取り付けたいとき（換言すれば、非常時または必要なとき）には、手動操作により前記（ｄ）項および（ｅ）項に記載したようにして上記手入れ窓からパッキン部材４２を取り外してから、手動操作により前記（ａ）項〜（ｃ）項に記載したようにして上記手入れ窓にグロメット部材４３を取り付ければよい。さらに、グロメット部材４３を一時的にまたは長時間にわたって使用しないときでも、このグロメット部材４３とほぼ対応する開閉用扉１４〜１６を開放したままの状態または封鎖した状態でもって、グロメット部材４３をエンクロージャ３に取り付けたままにしておくことができる。
【００３２】
以上、本発明の一実施例について詳細に説明したが、本発明は、上述の実施例に限定されるものではなく、特許請求の範囲に記載されている発明の趣旨に基づいて各種の変更および修正が可能である。
【００３３】
例えば、上述の実施例においては、本発明を閉鎖型保育器兼用の開放型保育器１に適用したが、本発明は、閉鎖型保育器などの他の保育器にも適用することができる。
【００３４】
また、上述の実施例においては、グロメット部材４３およびパッキン部材４２をシリコーン樹脂などの弾性材料から一体成形したが、これらの部材のうちのいずれか一方または両方は、複数個（例えば、２個）の一体成形品を接着剤などによって一体的に結合したものであってもよい。
【００３５】
また、上述の実施例においては、グロメット部材４３の嵌合部６３に配設した凹部６２に先端部側の壁部７の外側の壁６１の外側の縁部７３を手動操作による凹凸嵌合によって嵌合させるように構成した。しかし、これとは逆に、先端部側の壁部７のうちの手入れ窓形成用開口７０の外側の縁部に配設した係合用凹部または係合用スリットにグロメット部材４３の嵌合部６３を手動操作による凹凸嵌合によって嵌合させるように構成してもよい。さらに、グロメット部材４３に第１の凸状嵌合部と第１の係合用凹部とを設けるとともに、先端部側の壁部７に第２の係合用凹部と第２の凸状嵌合部とを設けてもよい。この場合、上記第１の凸状嵌合部を上記第１の係合用凹部に手動操作による凹凸嵌合によって嵌合させるとともに、上記第２の凸状嵌合部を上記第２の係合用凹部に手動操作による凹凸嵌合によって嵌合させればよい。
【００３６】
また、上述の実施例においては、グロメット部材４３およびパッキン部材４２をエンクロージャ３の手入れ窓形成用開口７０の外周囲付近に直接に取り付けるようにした。しかし、グロメット部材４３と、パッキン部材４２および絞り窓形成用部材のうちの少なくとも一方の部材とは、エンクロージャ３の手入れ窓１１〜１３および絞り窓のうちの少なくとも一方の窓を形成するための開口７０の外周囲付近に枠体（換言すれば、枠部材）を介して、間接的に取り付けられることもできる。この場合、上記枠部材は、ＡＢＳ樹脂などの硬質合成樹脂などの適当な材料から成形された成形品であってよい。そして、上記枠部材は、例えば、外側から内側に向かって外側の壁６１の縁部７３に嵌合した後にねじ止めすることなどによって取り付けられているものであってよい。また、上記枠部材は、グロメット部材４３および上記少なくとも一方の部材４２の凹部６２に嵌合することができるほぼ楕円リング形状（換言すれば、ほぼリング形状）の嵌合用突起部（図示せず）を備えているのが好ましい。さらに、上記枠部材には、扉１４〜１６の被軸支部７８を往復回動可能に軸支するための軸支部が配設されているのが好ましい。そして、上記枠部材には、扉１４〜１６の被係合爪部８２と係合するための係合爪部が配設されているのが好ましい。
【００３７】
さらに、上述の実施例においては、手入れ窓形成用開口７０の外周囲付近にグロメット部材４３を手動操作による凹凸嵌合により取り付けるようにした。しかし、絞り窓形成用開口の外周囲付近に凹凸嵌合などにより取り付けられている絞り窓形成用部材に代えて、グロメット部材４３を絞り窓形成用開口の外周囲付近に手動操作による凹凸嵌合により取り付けることによって、グロメット部材４３から成るグロメット構造を上記エンクロージャ３に形成することもできる。この場合、上記絞り窓形成用開口に取り付けられる上記絞り窓形成用部材は、パッキン部材４２と同様の構成を有するものであってよい。そして、この絞り窓形成用部材は、外周リング付きの外側のシート部分と外周リング付きの内側のシート部分とがそれぞれ取り付けられたそれ自体は周知のものであってよい。この場合、上記外側のシート部分と上記内側のシート部分との組み合わせ構造は、周知のように、単一の筒状シートが二重になるように折り返されたものであってよい。
【符号の説明】
【００３８】
１          閉鎖型保育器兼用の開放型保育器（保育器）
３          エンクロージャ
４          児用マット
１１        手入れ窓
１２        手入れ窓
１３        手入れ窓
４２        パッキン部材
４３        グロメット部材
５１        グロメット形成部
５２        グロメット取り付け部
７０        パッキン取り付け用の開口（手入れ窓形成用の開口）
８３        中央開口（中央貫通孔）
【図１】
2014018223.tif 000003
【図２】
2014018223.tif 000004
【図３】
2014018223.tif 000005
【図４】
2014018223.tif 000006
【図５】
2014018223.tif 000007
【図６】
2014018223.tif 000008
【図７】
2014018223.tif 000009
【図８】
2014018223.tif 000010
【図９】
2014018223.tif 000011
【図１０】
2014018223.tif 000012
【図１１】
2014018223.tif 000013